(57)【要約】【課題】オーディオ装置のボリューム値などのパラメータを所望の値に素早く制御可能なパラメータ制御装置、パラメータ制御プログラムおよび携帯電話機を提供する。【解決手段】偏心した輪郭部を有するダイヤル操作子を表示し、検出された操作に対応して輪郭部をダイヤル操作子の周上で回転させる。ダイヤル操作子によって更新されたボリューム値をボリューム値表示エリアに表示する。更新されたボリューム値が最低値から所定値までの間にあるときは、ボリューム値表示エリアの背景色を表示部の背景色と同じにし、更新されたボリューム値が所定値から最大値までの間にあるときは、ボリューム値表示エリアの背景色リニアに変化させる。【選択図】図３
2015184713.tif 000002
【特許請求の範囲】
【請求項１】
オーディオ機器と通信する通信部と、
前記オーディオ機器を操作する操作画面を表示する表示部と、
前記表示部に表示された操作画面に対する操作を検出する操作検出部と、
を備え、
前記表示部は、前記オーディオ機器に設定するボリューム値を上下させるボリューム操作子、および、前記設定されたボリューム値を表示するボリューム値表示エリアを表示し、
前記操作検出部は、前記ボリューム操作子の操作を検出してボリューム値を更新し、
前記通信部は、前記オーディオ機器に対して更新されたボリューム値を設定するコマンドメッセージを送信し、
前記表示部は、前記ボリューム値表示エリアに前記更新されたボリューム値を表示し、
さらに、表示部は、前記ボリューム値表示エリアの背景色を、
該ボリューム値表示エリアに表示するボリューム値が前記ボリューム値の最低値から所定値までの間にあるときは、前記表示部の背景色と同じにし、
該ボリューム値表示エリアに表示するボリューム値が前記所定値から最大値までの間にあるときは、前記所定値から最大値まで前記表示部の背景色から特定色までリニアに変化するように割り当てられている色のうち、前記ボリューム値表示エリアに表示するボリューム値に対して割り当てられている色にする
ボリューム値制御装置。
【請求項２】
前記表示部は、
前記ボリューム操作子として、偏心した輪郭部を有するダイヤル操作子を表示し、
前記操作検出部によって検出された操作に対応して、前記輪郭部を前記ダイヤル操作子の周上で回転させる
請求項１に記載のボリューム値制御装置。
【請求項３】
前記表示部は、
前記ボリューム値を上昇させる上昇ボタン、前記ボリューム値を下降させる下降ボタンを常時表示するとともに、
前記ダイヤル操作子を、所定操作に応じてポップアップ表示し、
前記ダイヤル操作子をポップアップ表示しているとき、前記ボリューム値表示エリアの大きさを、前記ポップアップ表示していないときよりも大きくする
請求項２に記載のボリューム値制御装置。
【請求項４】
オーディオ機器と通信する通信部と、前記オーディオ機器を操作する操作画面を表示する表示部と、前記表示部に表示された操作画面に対する操作を検出する操作検出部と、を備えた携帯端末装置のコンピュータを、
前記表示部に前記オーディオ機器に設定するボリューム値を上下させるボリューム操作子を表示する手段、
前記表示部に前記設定されたボリューム値を表示するボリューム値表示エリアを表示する手段、
前記ボリューム操作子の操作を検出してボリューム値を更新する手段、
前記オーディオ機器に対して更新されたボリューム値を設定するコマンドメッセージを送信する手段、
前記ボリューム値表示エリアに前記更新されたボリューム値を表示する手段、および、
前記ボリューム値表示エリアの背景色を、該ボリューム値表示エリアに表示するボリューム値が前記ボリューム値の最低値から所定値までの間にあるときは、前記表示部の背景色と同じにし、該ボリューム値表示エリアに表示するボリューム値が前記所定値から最大値までの間にあるときは、前記所定値から最大値まで前記表示部の背景色から特定色までリニアに変化するように割り当てられている色のうち、前記ボリューム値表示エリアに表示するボリューム値に対して割り当てられている色にする手段、
として機能させるボリューム値制御プログラム。
【請求項５】
前記ボリューム操作子を表示する手段は、前記ボリューム操作子として、偏心した輪郭部を有するダイヤル操作子を表示し、前記検出された操作に対応して前記輪郭部を前記ダイヤル操作子の周上で回転させる手段を含む請求項４に記載のボリューム値制御プログラム。
【請求項６】
前記ボリューム操作子を表示する手段は、前記ボリューム値を上昇させる上昇ボタン、前記ボリューム値を下降させる下降ボタンを常時表示するとともに、前記ダイヤル操作子を所定操作に応じてポップアップ表示し、前記ダイヤル操作子をポップアップ表示しているとき、前記ボリューム値表示エリアの大きさを、前記ポップアップ表示していないときよりも大きくする請求項５に記載のボリューム値制御プログラム。
【発明の詳細な説明】
【技術分野】
【０００１】
この発明は、オーディオ機器のボリューム値を制御するボリューム値制御装置およびボリューム値制御プログラムに関する。
【背景技術】
【０００２】
多機能携帯電話機（スマートフォン）からオーディオ機器をコントロールするアプリケーションプログラムがある。このようなアプリケーションプログラムでは、ダイヤル操作子などの操作子を画面に表示し、この操作子のユーザによる操作に応じてオーディオ機器にボリューム値を変更するコマンドを送信する（例えば非特許文献１）。非特許文献１のアプリケーションプログラムでは、現在のボリューム値を表示するため、ダイヤル操作子の周囲に環状の音量インジケータが設けられている。
【先行技術文献】
【非特許文献】
【０００３】
【非特許文献１】“スタイリッシュCDミニコンポ X-SMC22-S/X-SMC55-K”、［online］、パイオニア株式会社、［平成２６年３月１７日検索］、インターネット〈URL：http://pioneer.jp/audio_sys/stylish_sys/x_smc22_55.html〉
【発明の開示】
【発明が解決しようとする課題】
【０００４】
非特許文献１のアプリケーションプログラムでは、インジケータによって現在のボリューム値はわかるが、そのボリューム値でどの程度大きな音が出るかを、ユーザが直感的に把握することができない。特に、オーディオ機器から音が出ていない時にボリューム値を調節した場合、音が出るまで音の大きさが全くわからず、突然大きな音が鳴って驚くことがある。
【０００５】
この発明は、設定されたボリューム値がどの程度大きな音が出る値かをユーザに直感的に知らせることが可能なボリューム値制御装置およびボリューム値制御プログラムを提供することを目的とする。
【課題を解決するための手段】
【０００６】
本発明の第１の側面によって提供されるボリューム値制御装置は、オーディオ機器と通信する通信部と、オーディオ機器を操作する操作画面を表示する表示部と、表示部に表示された操作画面に対する操作を検出する操作検出部と、を備える。表示部は、オーディオ機器に設定するボリューム値を上下させるボリューム操作子、および、設定されたボリューム値を表示するボリューム値表示エリアを表示する。操作検出部は、ボリューム操作子の操作を検出してボリューム値を更新する。通信部は、オーディオ機器に対して更新されたボリューム値を設定するコマンドメッセージを送信する。表示部は、ボリューム値表示エリアに更新されたボリューム値を表示する。さらに、表示部は、ボリューム値表示エリアの背景色を、ボリューム値表示エリアに表示するボリューム値がボリューム値の最低値から所定値までの間にあるときは表示部の背景色と同じにし、ボリューム値表示エリアに表示するボリューム値が所定値から最大値までの間にあるときは、所定値から最大値まで表示部の背景色から特定色までリニアに変化するように割り当てられている色のうち、ボリューム値表示エリアに表示するボリューム値に対して割り当てられている色にする。
【０００７】
本発明の第２の側面によって提供されるボリューム値制御プログラムは、オーディオ機器と通信する通信部と、オーディオ機器を操作する操作画面を表示する表示部と、表示部に表示された操作画面に対する操作を検出する操作検出部と、を備えた携帯端末装置のコンピュータを、以下の手段とし機能させる。表示部にオーディオ機器に設定するボリューム値を上下させるボリューム操作子を表示する手段、表示部に前記設定されたボリューム値を表示するボリューム値表示エリアを表示する手段、ボリューム操作子の操作を検出してボリューム値を更新する手段、オーディオ機器に対して更新されたボリューム値を設定するコマンドメッセージを送信する手段、ボリューム値表示エリアに更新されたボリューム値を表示する手段、および、ボリューム値表示エリアの背景色を、ボリューム値表示エリアに表示するボリューム値がボリューム値の最低値から所定値までの間にあるときは表示部の背景色と同じにし、ボリューム値表示エリアに表示するボリューム値が所定値から最大値までの間にあるときは、所定値から最大値まで表示部の背景色から特定色までリニアに変化するように割り当てられている色のうち、ボリューム値表示エリアに表示するボリューム値に対して割り当てられている色にする手段。
【０００８】
上記発明において、ボリューム操作子として、偏心した輪郭部を有するダイヤル操作子を表示し、検出された操作に対応して、輪郭部をダイヤル操作子の周上で回転させるようにしてもよい。
【０００９】
上記発明において、ボリューム値を上昇させる上昇ボタン、ボリューム値を下降させる下降ボタンを常時表示するとともに、ダイヤル操作子を所定操作に応じてポップアップ表示してもよい。また、ダイヤル操作子をポップアップ表示しているとき、ボリューム値表示エリアの大きさを、ポップアップ表示していないときよりも大きく表示してもよい。
【発明の効果】
【００１０】
この発明によれば、設定されたボリューム値がどの程度大きな音が出る値かをユーザに直感的に知らせることが可能になる。
【図面の簡単な説明】
【００１１】
【図１】この発明が適用される携帯電話機およびＡＶシステムのブロック図
【図２】携帯電話機とＡＶコントローラプログラムの協働で構成されるＡＶコントローラの機能ブロック図
【図３】ＡＶコントローラの画面表示の一例を示す図
【図４】ボリュームダイヤルの操作に伴う表示内容の変化を説明する図
【図５】ボリューム値に応じた背景色の変化形態を説明する図
【図６】ＡＶコントローラの動作を示すフローチャート
【図７】ＡＶコントローラの動作を示すフローチャート
【図８】ＡＶコントローラの動作を示すフローチャート
【発明を実施するための形態】
【００１２】
図１は、この発明が適用される端末装置である携帯電話機１およびＡＶシステム３の構成を示す図である。
【００１３】
携帯電話機１はいわゆるスマートフォンと言われる多機能携帯電話機である。携帯電話機（スマートフォン）１は、携帯通信網である３Ｇ／４Ｇ通信機能を有するとともに、無線ＬＡＮ（Ｗｉ−Ｆｉ）通信機能を有しており、アクセスポイント５を介してネットワーク６に接続される。ネットワーク６には、ＡＶシステム３のコアとなるＡＶレシーバ４も接続されている。
【００１４】
携帯電話機１は、アプリケーションプログラム（アプリ）であるＡＶコントローラプログラム５０を起動することにより、図２に示すＡＶコントローラ１００として機能し、ユーザの操作に応じて、ネットワーク６経由でＡＶレシーバ４を制御する。その制御機能は、入力ソースの選択、電源のオン／オフ、ボリューム（音量）値の上下などである。
【００１５】
なお、ＡＶコントローラ１００では、ボリューム値は、図３（Ａ）に示す＋ボタン４１１、−ボタン４１２で上昇／下降操作することが可能であるとともに、図３（Ｂ）に示すボリュームダイヤル４２２を回転操作することによっても連続的に上昇／下降の操作をすることができる。
【００１６】
ＡＶシステム３は、コア機器であるＡＶレシーバ４にセットトップボックス（ＳＴＢ）１０、ＤＶＤプレーヤ１１、スピーカ１２およびテレビ（ＴＶ）１３が接続された構成であり、ＡＶレシーバ４がネットワーク６に接続されている。ＡＶレシーバ４は、複数のＡＶソースからいずれかを選択し、そのＡＶソースの再生（受信）映像をテレビ１３に出力するとともに、再生（受信）音をスピーカ１２に出力する。ＡＶソースの選択、ボリューム値の上下等は、ＡＶレシーバ４の操作パネルを直接操作して行うことが可能であるが、上述のように、携帯電話機１を用いて行うことも可能である。なお、ＡＶシステム３の構成は図示のものに限定されない。
【００１７】
次に、ＡＶコントローラプログラム５０が実行される携帯電話機１の構成を説明する。携帯電話機１は、バス２６上に、制御部２０、操作部３０、メディアインタフェース３１、Ｗｉ−Ｆｉ通信回路３２および３Ｇ／４Ｇ通信回路３３を有している。制御部２０は、ＣＰＵ２１、ＲＯＭ（フラッシュメモリ）２２、ＲＡＭ２３、画像プロセッサ２４および音声プロセッサ２５を含んでいる。画像プロセッサ２４には、ビデオＲＡＭ（ＶＲＡＭ）４０が接続され、ＶＲＡＭ４０には表示部４１が接続されている。表示部４１は、液晶のディスプレイを含み、待ち受け画面や電話番号などを表示する。また、液晶ディスプレイの表面には、操作部３０のタッチパネルが設けられている。後述のＡＶコントローラプログラム５０によって実行されるＡＶコントローラ１００は、表示部４１に操作パネルに似せたコントローラ画面４００（図３参照）を表示してユーザの操作を受け付ける。音声プロセッサ２５には、Ｄ／Ａコンバータを含むアンプ４２が接続され、アンプ４２にはスピーカ１６が接続されている。
【００１８】
画像プロセッサ２４は、待ち受け画面や電話番号等などの種々の映像を生成するＧＰＵ（Ｇｒａｐｈｉｃｓ  Ｐｒｏｃｅｓｓｉｎｇ  Ｕｎｉｔ，グラフィックス・プロセッシング・ユニット）を備えている。ＡＶコントローラプログラム５０が起動されると、画像プロセッサ２４は、ＣＰＵ２１の指示に従ってコントローラ画面４００を生成し、これをＶＲＡＭ４０上に展開する。ＶＲＡＭ４０上に展開された画像は表示部４１に表示される。
【００１９】
音声プロセッサ２５は、通話音声をエンコード／デコードするＤＳＰ（Ｄｉｇｉｔａｌ  Ｓｉｇｎａｌ  Ｐｒｏｃｅｓｓｏｒ：デジタル・シグナル・プロセッサ）を有している。音声プロセッサ２５は、デコード／生成した音声をアンプ４２に出力する。アンプ４２は、この音声信号を増幅してスピーカ１６に出力する。
【００２０】
Ｗｉ−Ｆｉ通信回路３２は、無線アクセスポイント５との間でＩＥＥＥ８０２．１１ｇ規格の無線通信を行い、ＡＶレシーバ４などのネットワーク６上の機器とデータやメッセージの送受信を行う。ＡＶレシーバ４との間は、ＤＬＮＡ（Ｄｉｇｉｔａｌ  Ｌｉｖｉｎｇ  Ｎｅｔｗｏｒｋ  Ａｌｌｉａｎｃｅ）またはこれに類して規定されたフォーマットでメッセージを交換する。３Ｇ／４Ｇ通信回路３３は、携帯電話通信網を介して、音声通話およびデータ通信を行う。データ通信によってアプリケーションプログラムのダウンロードが行われる。なお、アプリケーションプログラムは、３Ｇ／４Ｇ通信でダウンロードするのみならず、Ｗｉ−Ｆｉ通信やＵＳＢなどのインタフェース経由で取得するようにしてもよい。
【００２１】
操作部３０は、表示部４１上に形成されたタッチパネルを含み、タッチパネル上のタッチ操作、フリック操作等の操作を検出する。メディアインタフェース３１にはメモリカード１５が接続される。メモリカード１５は、たとえばマイクロＳＤカードである。３Ｇ／４Ｇ通信回路３３によってサーバからダウンロードされたアプリケーションプログラムは、メモリカード１５またはＲＯＭ２２に保存される。この携帯電話機１では、ＡＶコントローラプログラム５０（アプリケーションプログラム）がメモリカード１５に保存されている。
【００２２】
ＡＶコントロールプログラム５０は、プログラム本体に加えてプログラムの実行に必要なデータを含んでいる。プログラムの実行に必要なデータは、例えばＡＶレシーバ４の電源をオン／オフする、音量を上げる／下げる、入力ソースとしてＤＶＤプレーヤ／ＳＴＢを選択するなどのコマンドである。
【００２３】
ＲＯＭ２２には、この携帯電話機１の通話やアプリケーションプログラムを実行するための基本プログラムが記憶されている。また、ＲＯＭ２２はフラッシュメモリであり、基本プログラムのほか、ダウンロードされたアプリケーションプログラムなどを記憶することも可能である。ＲＡＭ２３には、ＣＰＵ２１がＡＶコントローラプログラム５０を実行する際に使用されるワークエリアが設定される。ワークエリアには、たとえば、ＡＶレシーバ４に設定するボリューム値Ｖｏｌを記憶するエリアなどが設けられる。
【００２４】
携帯電話機１は、メモリカード１５に保存されているＡＶコントローラプログラム５０との協働によって、図２に示すようなＡＶコントローラ１００を構成し、Ｗｉ−Ｆｉ経由でＡＶレシーバ４にコマンドメッセージを送信してＡＶレシーバ４を制御する。
【００２５】
図２の機能ブロック図を参照して、携帯電話機１（ハードウェア）にＡＶコントローラプログラム５０が読み込まれることによって実現されるＡＶコントローラ１００について説明する。ＡＶコントローラ１００は、操作画面表示部１１０、操作検出部１２０、メッセージ編集送信部１３０および状態取得部１４０を有している。
【００２６】
操作画面表示部１１０は、制御部２０、ＶＲＡＭ４０、表示部４１およびＡＶコントローラプログラム５０の協働によって実現され、携帯電話機１の表示部４１に、各種の操作画面を表示する。また、操作検出部１２０は、制御部２０、操作部３０およびＡＶコントローラプログラム５０の協働によって実現され、表示部４１に表示された操作画面に対する操作を検出する。検出される操作は、クリック操作、ドラッグ操作、フリック操作などである。検出された操作内容を表す操作情報は、操作画面表示部１１０、メッセージ編集送信部１３０などに入力される。
【００２７】
メッセージ編集送信部１３０は、制御部２０、Ｗｉ−Ｆｉ通信回路３２およびＡＶコントローラプログラム５０の協働によって実現される。メッセージ編集送信部１３０は、操作検出部１２０から入力された操作情報（例えばボリューム値更新情報）に基づき、その操作情報に対応するコマンドが書き込まれたコマンドメッセージを編集する。そして、そのコマンドメッセージをＡＶレシーバ４に送信する。
【００２８】
状態取得部１４０は、制御部２０、Ｗｉ−Ｆｉ通信回路３２およびＡＶコントローラプログラム５０の協働によって実現される。状態取得部１４０は、ＡＶレシーバ４に対して問い合わせを行い、ＡＶレシーバ４の動作状態を取得する。動作状態とは、そのとき選択されている入力ソース、ボリューム値などである。この問い合わせは、ＡＶコントローラ１００の起動時またはＡＶレシーバ４の起動時、および、適宜（たとえば５秒毎、コマンドメッセージの送信直後など）に行われる。取得したボリューム値は、図３に示すコントローラ画面４００の表示に反映される。
【００２９】
図３（Ａ）は、操作画面表示部１１０によって表示されるコントローラ画面４００の例を示す図である。コントローラ画面４００は、液晶ディスプレイの上端部および下端部の基本・共通機能表示部を除く略全域に表示され、ユーザがタッチパネル（操作部３０）で操作することができる。基本・共通機能とは、電池残量、電波の強さ、現在時刻、ホームボタン、戻るボタンなどである。
【００３０】
コントローラ画面４００は、下から順に、機能選択部４０１、ボリューム調整部４０２、機能調整部４０３のエリアを含む。機能選択部４０１は、このＡＶコントローラ１００で操作可能なＡＶシステム３の機能を選択するエリアである。このエリアには、選択可能な機能（たとえばソース選択、ＤＳＰ調節、シーン選択など）のアイコンが表示される。機能操作部４０３には、機能選択部４０１で選択された機能を調整するための操作子やアイコンが表示される。ユーザは、この操作子を操作してＡＶシステム３の機能を調整および選択する。ボリューム調整部４０２は、ボリューム値を調整するための操作子を表示するとともに、現在のボリューム値を表示する。機能選択部４０１、ボリューム調整部４０２、機能調整部４０３の背景色は、ほぼ同一色（黒）であるため、それぞれのエリアの境界は明確でない。そのため図３では、境界を二点鎖線で表している。なお、各エリアの背景色を変えてもよい。
【００３１】
ボリューム値調整部４０２には、現在のボリューム値を数字で表示するボリューム値表示エリア４１０、ボリューム値を上昇させるための＋ボタン４１１、ボリューム値を下降させるための−ボタン４１２、ミュートボタン（アイコン）４１３、ボリューム値を表す横向きの棒グラフであるインジケータ４１４が表示される。インジケータ４１４は、現在のボリューム値に応じて、左端から右端に向けて棒状に着色される。
【００３２】
ボリューム値は、−８０ｄＢから＋２０ｄＢまで制御可能である。一般的に−３０ｄＢ（本発明の所定値に対応）以上になると出力される音量が大きくなるため、ボリューム値が−３０ｄＢ以上に設定された場合、ボリューム値表示エリア４１０、すなわちボリューム値を示す数字の背景色を、ボリューム調整部４０２の背景色（黒）から他の色に変更（着色）する。
【００３３】
この色の変更態様を図５のボリューム値対色数値グラフを参照して説明する。表示部４１は、表示色をＲＧＢ値で制御する。ボリューム値が小さい通常時は、ボリューム値表示エリア４１０の色は、グラフの平坦部に相当し、色数値は（Ｒ，Ｇ，Ｂ）＝（０，０，０）で黒である。ボリューム値が所定値である−３０ｄＢから上の領域では、グラフの勾配部に相当し、ボリューム値が上昇するにつれ、Ｒの色数値のみを連続的に上昇させ、最大ボリューム値である２０ｄＢのとき（Ｒ，Ｇ，Ｂ）＝（２５５，０，０）で赤となるような傾きとなっている。このように、ボリューム値が上昇するにつれて、ボリューム値表示エリア４１０の色が、図５の傾きに従い、黒から焦茶、茶、海老茶、赤と連続的・リニアに変化する。図５のようなボリューム値対色数値グラフは、数値化されたテーブルなどの形態でＡＶコントローラプログラム５０に記憶されている。これにより、ボリューム値表示エリア４１０、すなわち、ボリューム値を示す数字の背景色で、そのボリューム値による音の大きさを感覚的にユーザに知らせることができる。なお、表示色がＨＳＬで制御される場合には、（Ｈ，Ｓ，Ｌ）を（０，２４０，０）から（０，２４０，１２０）まで変化させれば、上記ＲＧＢによる制御を同じ色の変化をさせることができる。
【００３４】
なお、ボリューム値表示エリア４１０に施す色は赤に限定されない。ボリューム値が大きくなるにつれて、その色が、ボリューム調整部４０２の背景色から遠くなっていくようにすればよい。また、上記所定値は−３０ｄＢに限定されない。また、図５に示したグラフにおける傾きは直線状でなくてもよい。たとえば、ボリューム値が所定値に近いとき傾きが急で、より大きくなると傾きが緩やかになるようにしてもよい。また、その逆に、ボリューム値が所定値に近いとき傾きが緩やかで、より大きくなると傾きが急になるようにしてもよい。また、ボリューム値が所定値未満のときのボリューム値表示エリア４１０の色は、必ずしも、ボリューム調整部４０２の背景色と同じでなくてもよい。たとえば、ボリューム値に応じて目立たない色から目立つ色に変化していってもよい。さらに、色の変化とともに、ボリューム値表示エリア４１０の形状や大きさが変化してもよい。
【００３５】
また、図３（Ａ）において、ボリューム調整部４０２には、ポップアップボタン４２０が表示されている。ユーザによりポップアップボタン４２０がタッチ操作されると、図３（Ｂ）に示すようなポップアップ画面４０２Ａが表示される。
【００３６】
図３（Ｂ）において、ポップアップ画面４０２Ａは、音量調整部４０２の上方の機能調整部４０３に被さるように表示される。ポップアップ画面４０２Ａには、ボリュームダイヤル４２２が表示される。ボリュームダイヤル４２２は、その周囲に偏心した光輪部４２２Ａを有している。例えば、ボリュームダイヤル４２２が黒のメタル素材でその側面が光を反射してパネルを照らしているような態様、また前記光輪部４２２Ａに隣接する部分は暗い黒で、対極部分は淡い黒で表示される。ボリュームダイヤル４２２が、ユーザにより、回転させるようなタッチ操作がされると、その操作に応じて光輪部４２２Ａと共にボリュームダイヤル４２２を回転表示し、ボリュームダイヤル４２２が回転しているような画像上の効果が表現される。そして、そのボリュームダイヤル４２２の回転角度に応じてボリューム値が更新される。なお、ボリュームダイヤル４２２の周囲に偏心して表示されるものは、ボリュームダイヤル４２２の回転を演出できるものであればよく、光輪であっても影であってもよい。
【００３７】
また、ポップアップ画面４０２Ａが表示されているとき、ボリューム値表示エリア４１０も上下に拡張され、表示されていないとき（図３（Ａ）参照）に比べて大きくなる。これにより、色の変化による予想音量の告知がより分かりやすくなる。
【００３８】
また、ポップアップ画面４０２には、プルダウンボタン４２１も表示されている。このプルダウンボタン４２１がユーザによりタッチ操作されると、ポップアップ画面４０２Ａが消去され、図３（Ａ）に示す通常の画面にもどる。
【００３９】
図４（Ａ）−（Ｃ）は、ボリュームダイヤル４２２の操作によるボリュームダイヤル４２２およびボリューム値変化を示す図である。ボリュームダイヤル４２２が回転操作されることに応じて、光輪部４２２Ａの回転位置が変化するとともに、ボリューム値が更新され、ボリューム値表示エリア４１０に表示される数値、および、インジケータ４１４の着色部の長さが変化する。そして、ボリューム値が−３０ｄＢ以上になると、その値に応じた色にボリューム値表示エリア４１０が着色される。図４（Ａ）では、ボリューム値が−４０ｄＢであり所定値（−３０ｄＢ）未満であるため、ボリューム値表示エリア４１０の色はボリューム調整部４０２の色と同じである。図４（Ｂ）では、ボリューム値が−２０ｄＢであり所定値（−３０ｄＢ）をわずかに超えているため、ボリューム値表示エリア４１０の色はボリューム調整部４０２のから少し異なる色（たとえば焦茶）に着色されている。図４（Ｃ）では、ボリューム値が１６．５ｄＢであり所定値（−３０ｄＢ）を大きく超えているため、ボリューム値表示エリア４１０の色はボリューム調整部４０２のから大きく異なる色（たとえば赤）に着色されている。このように、ボリューム値表示エリア４１０は、ボリューム値が所定値を超えたことに応じて、その超えた程度を表す色に着色される。
【００４０】
また、図４（Ａ）では、ボリュームダイヤル４２２の回転操作に合わせて光輪部４２２Ａがボリュームダイヤル４２２の左上に回転しているように表示されている。図４（Ｂ）では、ボリュームダイヤル４２２の回転操作に合わせて光輪部４２２Ａがボリュームダイヤル４２２の右上に回転しているように表示されている。また、図４（Ｃ）では、ボリュームダイヤル４２２の回転操作に合わせて光輪部４２２Ａがボリュームダイヤル４２２の下に回転しているように表示されている。このように、ボリュームダイヤル４２２の回転操作に合わせてボリュームダイヤル４２２と光輪部４２２Ａを回転表示することで、ユーザに対してリアルなボリュームダイヤル４２２の操作感を与えることができる。なお、ボリュームダイヤル４２２の回転角度とボリューム値の変化の度合いの相関はどのようであっても良い。図４（Ａ）−（Ｃ）は、必ずしも、同一の回転周における光輪部４２２Ａの位置を示した図ではない。
【００４１】
ユーザによってボリュームダイヤル４２２が回転操作されたり、＋ボタン４１１、−ボタン４１２が押し下げ操作されると、その操作情報が操作検出部１２０によって検出され、メッセージ編集送信部１３０、操作画面表示部１１０に伝達される。メッセージ編集送信部１３０は、操作内容に応じたボリューム値更新のコマンドメッセージを編集してＡＶレシーバ４に送信する。また、操作画面表示部１１は、この操作内容に応じて、上述のボリューム値表示エリア４１０、インジケータ４１４、および、ボリュームダイヤル４２２（光輪部４２２Ａ）の表示内容を更新する。
【００４２】
図６−図８は、ＡＶコントローラ１００（携帯電話機１）の動作を示すフローチャートである。
【００４３】
図６は、ポップアップボタン４２０、プルダウンボタン４２１がタッチ操作されたときの動作を示すフローチャートである。タッチパネルのタッチ操作が検出されると、その操作がポップアップボタン４２０の操作であるか（Ｓ１）、プルダウンボタン４２１の操作であるか（Ｓ３）を判断する。ポップアップボタン４２０が操作された場合には（Ｓ１でＹＥＳ）、ポップアップ画面４０２Ａを表示する（Ｓ２）。また、プルダウンボタン４２１が操作された場合には（Ｓ３でＹＥＳ）、そのとき表示されているポップアップ画面４０２Ａを消去する。また、ポップアップボタン４２０、プルダウンボタン４２１以外の操作子が操作された場合には、その操作子に対応する他の処理を行う（Ｓ５）。
【００４４】
図７は、ボリュームダイヤル４２２の回転操作に対応する動作を示すフローチャートである。その回転操作が右回転の操作であるか（Ｓ１０）、左回転の操作であるか（Ｓ１１）を判断する。ボリュームダイヤル４２２に対する右回転の操作を検出した場合には（Ｓ１０でＹＥＳ）、その回転角度（操作量）に応じてボリューム値を上昇させ（Ｓ１１）、その回転角度に合わせて光輪部４２２Ａを含むボリュームダイヤル４２２を右に回転させる（Ｓ１２）。また、ボリュームダイヤル４２２に対する左回転の操作を検出した場合には（Ｓ１３でＹＥＳ）、その回転角度（操作量）に応じてボリューム値を下降させ（Ｓ１４）、その回転角度に合わせて光輪部４２２Ａを含むボリュームダイヤル４２２を左に回転させる（Ｓ１５）。
【００４５】
図８は、ボリューム値調整動作を示すフローである。ボリュームダイヤル４２２の回転操作または＋／−ボタン４１１，４１２のタッチ操作でボリューム値が更新されると（Ｓ２０でＹＥＳ）、ボリューム値を更新するコマンドメッセージをネットワーク６を介してＡＶレシーバ４に送信する（Ｓ２１）。そして、そのボリューム値に合わせて、インジケータ４１４の着色部の長さを更新し（Ｓ２２）、ボリューム値表示部４１０に表示する数値を更新する（Ｓ２３）。そして、ボリューム値表示部の色（数字の背景色）を、そのボリューム値に対応する色に更新する（Ｓ２４）。
【００４６】
なお、上記実施形態では、ボリュームダイヤル４２２が回転操作されたとき光輪部４２２Ａを回転させていたが、＋／−ボタン４１１，４１２でボリューム値が上昇／下降された場合でも、これに合わせて光輪部４２２Ａを回転させてもよい。また、ボリュームダイヤル４２２に対する操作角度と光輪部４２２Ａの回転角度は一致させても、一致させなくてもよい。
【００４７】
また、ボリュームダイヤル４２２の回転操作によるボリューム値の変化量は、回転角度のみに相関させてもよく、さらに回転速度に連動させてもよい。
【００４８】
また、この実施形態では、ＡＶコントローラ１００（携帯電話機１）は、ＡＶレシーバとＷｉ−Ｆｉを介して通信するが、これ以外の通信方式で通信してもよい。たとえば、Ｂｌｕｅｔｏｏｔｈ（登録商標）で通信してもよい。
【符号の説明】
【００４９】
１  携帯電話機
４  ＡＶレシーバ
１５  メモリカード
２０  制御部
４１  表示部
５０  ＡＶコントローラプログラム
１００  ＡＶコントローラ
４０２  ボリューム調整部
４０２Ａ  ポップアップ画面
４１０  ボリューム値表示エリア
４２２  ボリュームダイヤル
４２２Ａ  光輪部
【図１】
2015184713.tif 000003
【図２】
2015184713.tif 000004
【図３】
2015184713.tif 000005
【図４】
2015184713.tif 000006
【図５】
2015184713.tif 000007
【図６】
2015184713.tif 000008
【図７】
2015184713.tif 000009
【図８】
2015184713.tif 000010